(57)【要約】      （修正有）【課題】塗料缶を安定に保持でき、屋根の上端面を傷付けず、安全な塗装作業を可能とする塗料缶保持具を提供する。【解決手段】１対の側方フレーム１４の一端を相互連結する主横架フレームに、蝶番を介して上部開口した収容部１を揺動自在に軸支した。収容部１の外側方に配設され、収容部１と一体として揺動する角度調節板１６には、複数の係合孔１６ａを穿設した。台座部２には立設された支持部材１７には、一部が係合孔１６ａに挿通可能で、ばねにより内側方に付勢された係合部材１８を摺動自在に設けた。【選択図】図１
0003171374.tif 000002
【実用新案登録請求の範囲】
【請求項１】
１対の側方フレーム及び側方フレームの一端を相互連結する主横架フレームを有する台座部と、
前下端が主横架フレームに蝶番を介して揺動自在に軸支され、上部開口した収容部と、
収容部の外側方に配設され収容部と一体として揺動する角度調節板と、
該角度調節板に穿設され、蝶番を中心とする同一円周上に配置された複数の係合孔と、
台座部に立設された支持部材と、
前記係合孔に挿通可能な棒状係合部を有し、前記支持部材に摺動自在に支持され、ばねにより内側方に付勢された係合部材と
を具備してなることを特徴とする塗料缶保持具。
【請求項２】
収容部から外側方に向け突設された支持板と、
下端部が台座部に回動自在に軸支され、前記支持板に穿設された摺動孔に摺動自在で、周面の同一の向きに複数の切り欠きが設けられた角度規制棒材と、
支持板に立設された１対の支持脚を相互連結する軸に回動自在に設けられ、先端が前記切り欠きに係止可能な角度規制片と
を具備してなることを特徴とする請求項１に記載の塗料缶保持具。
【請求項３】
側方フレームの主横架フレームとは逆の端部が収容部より突出し、当該端部に近付くにつれ両側方フレームの間隔が徐々に幅広くされてなることを特徴とする請求項１又は請求項２に記載の塗料缶保持具。
【請求項４】
側方フレームの主横架フレームとは逆の端部及び主横架フレームに、それぞれ１対の脚部が回動可能に螺着されてなることを特徴とする請求項１乃至請求項３の何れか１項に記載の塗料缶保持具。
【請求項５】
脚部の下端に着脱自在に螺着された枠体と、該枠体に回動自在に軸支された車輪とを具備してなることを特徴とする請求項４に記載の塗料缶保持具。
【請求項６】
平板を長手方向に湾曲させた形状を有し、一端が車輪の外周に当接可能で、他端が枠体の前記車輪の車軸よりも上方に揺動自在に軸支されてなることを特徴とする請求項５に記載の塗料缶保持具。
【考案の詳細な説明】
【技術分野】
【０００１】
本考案は、塗料缶の保持具に関する。
【背景技術】
【０００２】
建物の屋根を塗装する際、通常は、当該屋根上に塗料缶を置いて作業する。屋根の上端面は水平面ではなく斜面であることが多いが、斜面上に塗料缶を置くと不安定であり、塗料缶が転倒し、更には落下する虞がある。それを防ぐために、塗料缶を片手で支えながら作業することも可能ではあるが、塗装作業の安全性に支障を来す虞がある。そのため、斜面の角度によらず塗料缶を水平に置く技術が、検討されてきた。
【０００３】
例えば、塗料缶の底面の水平を維持するために前記底面を越えて下方向に突出し下端が前記塗料缶の置かれるべき斜面に当接する斜面用足部と、前記塗料缶の円筒部の外側に前記斜面用足部を着脱自在に固定するための足取付け部と、を含む斜面載置用塗料缶保持具が開示されている（例えば、特許文献１参照）。
【先行技術文献】
【特許文献】
【０００４】
【特許文献１】特開平１１−２９３８７６号公報
【考案の概要】
【考案が解決しようとする課題】
【０００５】
しかしながら、上記特許文献１の斜面載置用塗料缶保持具は、塗料缶に巻いて取り付けられるから、たとえ固くボルト締めしたとしても、固定が不充分で当初の取付位置からずれる虞がある。斜面用足部の下端が接触することにより、屋根の上端面を傷付ける虞もある。また、塗料缶に巻いて取り付けるから、円筒形状の小型の缶にのみ適合し、例えば大容量の一斗缶には取り付けられない問題もあった。
【０００６】
上記問題点に鑑み、本考案は、大容量の塗料缶でも安定に収容でき、屋根の上端面を傷付けず、安全な塗装作業を可能とする塗料缶保持具を提供することを課題とする。
【課題を解決するための手段】
【０００７】
上記課題を解決する第１の考案は、
１対の側方フレーム及び側方フレームの一端を相互連結する主横架フレームを有する台座部と、
前下端が主横架フレームに蝶番を介して揺動自在に軸支され、上部開口した収容部と、
収容部の外側方に配設され収容部と一体として揺動する角度調節板と、
該角度調節板に穿設され、蝶番を中心とする同一円周上に配置された複数の係合孔と、
台座部に立設された支持部材と、
前記係合孔に挿通可能な棒状係合部を有し、前記支持部材に摺動自在に支持され、ばねにより内側方に付勢された係合部材と
を具備してなる塗料缶保持具である。
【０００８】
第２の考案は、第１の考案の塗料缶保持具であって、
収容部から外側方に向け突設された支持板と、
下端部が台座部に回動自在に軸支され、前記支持板に穿設された摺動孔に摺動自在で、周面の同一の向きに複数の切り欠きが設けられた角度規制棒材と、
支持板に立設された１対の支持脚を相互連結する軸に回動自在に設けられ、先端が前記切り欠きに係止可能な角度規制片と
を具備してなる。
【０００９】
第３の考案は、第１又は第２の考案の塗料缶保持具であって、側方フレームの主横架フレームとは逆の端部が収容部より突出し、当該端部に近付くにつれ両側方フレームの間隔が徐々に幅広くされてなる。
【００１０】
第４の考案は、第１乃至第３の考案の何れかの塗料缶保持具であって、側方フレームの主横架フレームとは逆の端部及び主横架フレームに、それぞれ１対の脚部が回動可能に螺着されてなる。
【００１１】
第５の考案は、第４の考案の塗料缶保持具であって、脚部の下端に着脱自在に螺着された枠体と、該枠体に回動自在に軸支された車輪とを具備してなる。
【００１２】
第６の考案は、第５の考案の塗料缶保持具であって、平板を長手方向に湾曲させた形状を有し、一端が車輪の外周に当接可能で、他端が枠体の前記車輪の車軸よりも上方に揺動自在に軸支されてなる。
【考案の効果】
【００１３】
第１の考案によれば、塗料缶を収容可能な収容部が台座に対して揺動自在であり、しかも係合部材と係合孔との係合により所望の揺動角に角度調節できるから、屋根の斜面の角度によらず塗料缶を略水平に保持できる。台座が少なくとも側方フレームと主横架フレームとを具えた堅牢な構造であり、収容部の上部開口から塗料缶を入れる構成であるから、大容量の塗料缶でも安定に収容できるし、塗料缶を収容した保持具を屋根上に安定に載置できる。これにより、塗料缶が屋根から落下することを確実に防止し、安全に塗装作業を行うことができる。
【００１４】
第２の考案によれば、角度規制棒材に設けた切り欠きに角度規制片の先端を係止することにより、収容部を台座部に対して所定の揺動角に維持することが可能である。係合部材と係合孔の係合と併せ、塗料缶を収容する収容部を、より安定に支持することができる。
【００１５】
第３の考案の塗料缶保持具は、側方フレームの一端部が収容部より突出し、しかも当該突出部に向けて両側方フレームの間隔が幅広くされているから、当該突出部の側には転倒し難い。主横架フレームを棟側に向けることにより、塗料缶保持具を屋根の斜面に安定に載置し、それに収容される塗料缶をより安定に保持することができる。
【００１６】
第４の考案によれば、２対（４個）の脚部により、塗料缶保持具が安定に載置される。脚部の下端を含む部分にゴム製アダプターを外嵌着した場合、摩擦力がより大きくなるから、塗料缶保持具は、屋根の斜面上により安定に載置される。この場合、前記ゴム製アダプターのみが屋根に接触するから、当該屋根が傷付くことが回避される。
【００１７】
また、何れの脚部も台座部に対して角度可変であるから、折板屋根，波板屋根等の棟から軒に至る傾斜部を有する屋根においても、脚部の下端面を当該傾斜部に当接することが可能であり、かかる屋根上にも安定に載置できる。
【００１８】
第５の考案によれば、脚部の下端に車輪を取り付け、又はそれを取り外すことが可能である。車輪を取り付けた場合には、塗料缶保持具を容易に移動することが可能となる。車輪を外した場合には、塗料缶保持具は容易に移動せず屋根の斜面上に安定に載置され、前記アダプターを外嵌着して更に安定性を高めることもできる。
【００１９】
第６の考案によれば、制動板の軸支端とは逆の端部が車輪と接触することにより、当該車輪は所定の向きにのみ自由に回転するが、逆の向きには回転し難い。全ての制動板が軒側に配置される様にして、屋根の斜面上に塗料缶保持具を載置すると、当該保持具が軒側に移動し更には屋根から落下することが防止される。そのため、更に安定性が増し、より安全な塗装作業が可能となる。
【図面の簡単な説明】
【００２０】
【図１】本考案の塗料缶保持具を示す斜視図である。
【図２】本考案の塗料缶保持具を示す側面図である。
【図３】塗料缶保持具の角度調節部付近を示す要部断面図である。
【図４】塗料缶保持具の脚部付近を示す要部側方視断面図である。
【図５】塗料缶保持具の脚部にアダプターを取り付けた状態を示す図面で、（ａ）は側面図であり、（ｂ）は側方視断面図である。
【考案を実施するための形態】
【００２１】
以下に、本考案を実施するための形態を、図面を参照しつつ詳細に説明するが、本考案はこれに限定されるものではない。
【００２２】
本考案の塗料缶保持具は、図１及び図２に示される様に、
１対の側方フレーム１４，１４及び側方フレーム１４，１４の一端を相互連結する主横架フレーム１５を有する台座部２と、
前下端が主横架フレーム１５に蝶番４を介して揺動自在に軸支され、上部開口した収容部１と、
収容部１の外側方に配設され収容部１と一体として揺動する角度調節板１６と、
該角度調節板１６に穿設され、蝶番４を中心とする同一円周上に配置された複数の係合孔１６ａ，…と、
台座部２に立設された支持部材１７と、
前記係合孔１６ａ，…に挿通可能な棒状係合部１８ａを有し、前記支持部材１７に摺動自在に支持され、ばね２１により内側方に付勢された係合部材１８と
を具備してなる。本考案を堅牢かつ軽量とするために、ステンレス鋼が好適な材料として用いられるが、必ずしもこれに限定されるものではない。
【００２３】
収容部１は、上部が開放した箱形の下部フレーム１０，該下部フレーム１０の四隅に溶接され立設された断面略Ｌ字状の縦フレーム１１，…，相隣る縦フレーム１１，１１に両端を溶接され当該縦フレーム１１，１１同士を連結する横枠１２，…，及び下部フレーム１０と横枠１２，…とに両端を溶接された縦枠１３，…を有し、略直方体状の籠形とされている。横枠１２の長さは一斗缶の底面の１辺より僅かに長く、縦フレーム１１，…の高さは一斗缶の高さより若干短くされており、それによって収容部１は１個の一斗缶（塗料缶）５０を収容するに適したサイズとされている。収容部１の形状は必ずしも略直方体状に限られず、例えば、少なくともその内周を略円筒形として円筒形状の塗料缶を収容することもできる。また、収容部１は、側面又は底面の少なくとも一部が、平板状又は格子状とされていても良い。
【００２４】
下部フレーム１０の底板は、軽量化のため、一斗缶を載置可能な外縁部１０ａを残して中央を矩形状に穿設した形状とされているが、当該穿孔は必須ではない。横枠１２，…及び縦枠１３，…は、軽量化のために丸パイプで作製されている。略直棒状の横枠と中央部が下方に湾曲した横枠とが併用されているが、必ずしもこれに限られず、例えば、横枠１２，…の全てが同一形状とされていても良い。
【００２５】
台座部２は、一方の間隔を幅広くして互いに等しい高さに配置された左右１対の側方フレーム１４，１４、及び、両側方フレーム１４，１４に両端がそれぞれ溶接された横架フレーム１５，１５ａ，１５ｂを有する。主横架フレーム１５は、両側方フレーム１４，１４の間隔が幅狭くされた側の端部を連結し、下部フレーム１０の外縁部１０ａと蝶番４を介して連結されている。これにより、収容部１は、台座部２に揺動自在に軸支される。第２副横架フレーム１５ｂは収容部１の後端の下方に配設され、第１副横架フレーム１５ａは、主横架フレーム１５及び第２横架フレーム１５ｂの略中央位置に配設されている。副横架フレームの数及び位置は必ずしも上記に限定されないが、両側方フレーム１４，１４を強固に連結し収容部１を安定に支承するために、収容部１の下方に相当する位置に少なくとも１本以上の副横架フレームが設けられていることが好ましい。側方フレーム１４，１４及び横架フレーム１５，１５ａ，１５ｂは、何れも断面略Ｌ字状であり、図示される様にそれらが一体として形成されていても良く、相互に溶接されて連結されていても良い。両側方フレーム１４，１４の第２副横架フレーム１５ｂより突出する側の端部には、それらの軸に直交する平板状の部分が設けられ、該部分に脚部２８，２８がそれぞれ螺着されている。また、主横架フレーム１５の側方フレーム１４，１４と連結された部分にも、左右１対の脚部２８，２８がそれぞれ螺着されている。上記構成を有する台座部２は、側方フレーム１４，１４の間隔が幅広くされた側を軒側に配置することにより、屋根の斜面５１上に安定に載置され、塗料缶５０を安定に収容することができる。
【００２６】
図１乃至図３に示される様に、収容部１の１側面の外側方に角度調節板１６が設けられると共に台座部２に角度調節部３が設けられていて、それらが協働して台座部２に対する収容部１の揺動角を所定角度に調節する。
【００２７】
角度調節板１６は、蝶番４を中心とする扇形の円弧を含む部分を、２本の直線で切り抜いた形状とされている。その一端辺は下部フレーム１０の外側面に連結され、他の端辺は収容部１の側面中央に配置された縦枠１３に連結されている。角度調節板１６は、下部フレーム１０と一体として作製されると共に前記縦枠１３に溶接されるものとして図示されているが、必ずしもこれに限られず、例えば、両端辺が何れも溶接されていても良い。
【００２８】
角度調節板１６には、蝶番４を中心とする同一円周上に、複数の係合孔１６ａ，…が穿設されている。係合孔１６，…を円形として図示するが、その形状は特に限定されず、また、係合孔１６ａ，…のサイズも特に限定されない。
【００２９】
角度調節部３は、支持部材１７，係合部材１８，アーム１９，ガイド部材２０，及びばね２１を有する。支持部材１７は、フランジの上端部を延出し、ウェブと平行に配設した平らな係止板１７ａで前記フランジの上端部を相互連結した、Ｃチャンネル形の形状であり、下端が側方フレーム１４に溶接され固定されている。支持部材１７の中央よりやや下方には、アーム１９の回動を規制する略円柱形状のストッパー２２が、両フランジの外側端に溶接されて設けられている。支持部材１７の上端には、角度調節板１６の円弧部を挟む様に配設され、前記角度調節板１６をガイドするガイド部材２０が設けられている。
【００３０】
係合部材１８は、略円柱状の棒状係合部１８ａの中間部に軸に垂直な第１係止部１８ｂ及び第２係止部１８ｃを設けると共に、略円柱状のハンドル１８ｄを棒状係合部１８ａの外側端に略Ｔ字状に連結して設けた形状である。棒状係合部１８ａは、支持部材１７のウェブ及び係止板１７ａに設けられた穿孔に摺動自在に内挿され、第２係止部１８ｃが係止板１７ａに当接した状態では、その先端が係合孔１６ａに挿通される。第１係止部１８ｂ及び第２係止部１８ｃの形状は、必ずしも図示される矩形状に限られず、円形，楕円形，多角形状等任意の形状とすることができる。
【００３１】
アーム１９は、円形断面の棒材の上端部を２つに分岐させ、下端には平板状のペダル１９ａを設けた部材であり、その中間部は内方に向けて屈曲され略Ｌ字形に形成され、当該屈曲された突端に設けられた回動軸１９ｂが、支持部材１７の両フランジに設けた穿孔に回動自在に内嵌されている。ばね２１は、一端をアーム１９の回動軸１９ｂより上方に付設された環状部１９ｃに、他端を支持部材１７のウェブに設けた２つの穿孔に、それぞれ係止されて設けられた引っ張りばねであり、アーム１９の上部を内側方に付勢する。ペダル１９ａを押下すると、アーム１９の上端部が係合部材１８のハンドル１８ｄを外側方に押し棒状係合部１８ａが係合孔１６ａから抜けるが、アーム１９は、ストッパー２２に接触するまでしか回転しない。ペダル１９ａへの押下力が無くなると、アーム１９の上端部は第１係止部１８ｂを押圧し、第２係止部１８ｃが係止板１７ａに当接するまで係合部材１８を内側方に摺動させる。
【００３２】
係合部材１８を内側方にばね付勢する構成は必ずしもこれに限られず、例えば、支持部材１７のウェブと第２係止部１８ｃとを引っ張りばねで単に連結しても良い。この場合には、ハンドル１８ｄを外側方に引くと係合部材１８と係合孔１６ａとの係合が解かれ、ハンドル１８ｄを手放すと係合部材１８は内側方に摺動する。ばね２１は、必ずしも図示される引っ張りばねに限られず、例えば、圧縮ばね，ねじりコイルばね等を用いることもできる。
【００３３】
収容部１の角度調節板１６を設けた側面と対向する側面の、蝶番４とは逆の側の縦フレーム１１には、外側方に向け、下部フレーム１０の外縁部１０ａと平行な支持板２５が突設されている。支持板２５の前部には、円形の摺動孔２５ａが穿設され、後述する角度規制棒材２３が摺動自在に挿通されている。また、支持板２５の後部の左右略中央は、後述する角度規制片２７の揺動を許容するために凹まされている。
【００３４】
支持板２５の下方に位置する側方フレーム１４には、周面の同一の向きに複数の切り欠き２３ａ，…が設けられた略円柱状の角度規制棒材２３が、下端部を回動自在に軸支されて設けられている。図１及び図２においては、角度規制棒材２３の下端付近に略円柱状の回動軸２３ｂを突設し、側方フレーム１４の上端面に立設された矩形の板状材２４に設けた穿孔に前記回動軸２３ａを内嵌することにより、角度規制棒材２３が回動自在に軸支されている。切り欠き２３ａ，…の下端面は角度規制棒材の軸に垂直に、切り欠き２３ａ，…の上端面は外上方に向け斜めにされている。これにより、角度規制片２７が、角度規制棒材２３の周面に接しながらその上方に移動しても切り欠き２３ａ，…に係止しないものの、角度規制片２７が下方に移動する際には切り欠き２３ａに係止してその下方への移動が規制される。切り欠き２３ａ，…は、係合部材１８が係合孔１６ａ，…に挿通された時に角度規制片２７が係止可能な位置に、それぞれ設けられている。
【００３５】
支持板２５後部の左右両側端には、上端を丸めた略三角形状の支持脚２５ｂ，２５ｂが立設され、それら支持脚２５ｂ，２５ｂの上端を相互連結する略円柱状の軸に、角度規制片２７の長辺に付設された環状部２７ａが、回動自在に外嵌されている。角度規制片２７は、略円柱状の棒材を湾曲して長辺，短辺，及びそれらを連結する湾曲部を形成した略Ｊ字状の部材であって、その長辺の先端は、軸に対して斜めに切断され、短辺側が短く他方が長くされている。
【００３６】
支持板２５の上方には、縦フレーム１１の外側端から後方に向け、平らな突片２６が延出され設けられている。該突片２６は、角度規制片２７の湾曲部に当接して、摩擦力により当該角度規制片２７の回動を規制する部材である。角度規制片２７は、突片２６に当接している間は回動不能であって、角度規制棒材２３とは接触しない。一方、突片２６に当接していない場合には、角度規制片２７は回動自在であるが、長辺の先端を下に向けて配置される。この場合、塗料缶保持具が水平面上に載置されていれば、収容部１の揺動角が大きくなるにつれて、長辺の先端は角度規制棒材２３に接触しつつその相対位置を角度規制棒材２３の下部から上部へと変えるのみで、収容部１の揺動を阻害しない。しかし、前記揺動角を小さくしようとすると、長辺の先端が直下の切り欠き２３ａに係止して、揺動角はそれより小さくならない。
【００３７】
上記構成を有する塗料缶保持具においては、収容部１の揺動角を大きくするためには、角度規制片２７が突片２６に接触しない状態でペダル１９ａを押下して収容部１を傾け、所望の角度でペダル１９ａの押下を解き係合孔１６ａに棒状係合部１８ａを係合させるのみで良い。この時点で角度規制片２７が切り欠き２３ａに係止し、それと角度調節部３との双方で、収容部１は安定に支持される。逆に、収容部１の揺動角を小さくするためには、まず、角度規制片２７の切り欠き２３ａに対する係止を解いて、角度規制片２７を突片２６に接触させ回動不能とする。次いでペダル１９ａを押下して収容部１を回転させ、所望の角度でペダル１９ａの押下を解き、係合孔１６ａに棒状係合部１８ａを係合させる。更に、必要に応じて、角度規制片２７を突片２６から離して回動自在とした後、その長辺の先端を切り欠き２３ａに係止させる。
【００３８】
脚部２８は、図４に示される様に、脚主部２８ａと、脚主部２８ａの上端から突出する様に設けられた螺着片２８ｂとを有する。脚主部２８ａは、下端が封止された略円筒形の形状であり、その下端略中央には、螺子孔２８ｃが穿設されている。脚主部２８ａは、軽量化のために中空とされているが、必ずしもこれに限られず、中実の円柱状であっても良い。また、脚主部２８ａの形状は、必ずしも断面円形の形状に限定されず、直方体状その他の任意形状であっても良い。
【００３９】
螺着片２８ｂは、略矩形の平板状に形成され、脚主部２８ａの軸心を含む位置に設けられている。螺着片２８ｂは、平板状であればその形状は限定されず、また、脚主部２８ａに溶接されていても良く、又は脚主部２８ａと一体として作製されていても良い。螺着片２８ｂは、その略中央の穿孔に挿通されたボルト２８ｄによって、側方フレーム１４の末端又は主横架フレーム１５に螺着されている。これにより、脚部２８は、それらフレームに対して角度可変とされている。屋根に棟から軒に至る傾斜が有っても、当該傾斜部に略直交する角度に脚部２８を向けることが可能であって、例えば折板屋根や波板屋根上に塗料缶保持具を置くにも適する。
【００４０】
螺子孔２８ｃには、車輪３０を回動自在に軸支する枠体２９の、上部に突出する螺子部２９ａが着脱自在に螺合可能である。図４に示される様に螺子部２９ａにナット２９ｂを螺嵌すると、脚主部２８ａに近付く向きに前記ナット２９ｂを締め付けることにより、枠体２９を脚主部２８ａに対して所望の向きに安定に配置させることが可能である。枠体２９は断面略コ字状に屈曲された部分を有し、下方に屈曲された両垂下部２９ｃ，２９ｃの下端付近を連結する車軸で車輪３０を軸支する。車輪３０の材質は限定されないが、塗料缶保持具を置いた屋根が傷付くのを回避するため、少なくともその外周がゴム製であることが好ましい。垂下部２９ｃ，２９ｃの車軸より上方の位置は穿孔され、制動板３１の一端に連結されたピンが当該穿孔に挿通されることにより、制動板３１が枠体２９に揺動自在に軸支されている。制動板３１は、平板を長手方向に湾曲させた形状であり、軸支端とは逆の端部が車輪３０の外周面に接触する様に形成されている。そのため、車輪３０は、図４中のＲの向きには自由に回転するが、その逆の向きへは回転し難い。蝶番４を棟側に向けて屋根の斜面５１上に置くと、塗料缶保持具は、車輪３０の回転を利用して棟側には容易に移動されるが、軒側には容易に移動しない。塗料缶保持具を常に手で支える必要が無いから、より安全な塗装作業が可能となる。
【００４１】
枠体２９を螺着せず、代わりに、図５に示される様に脚主部２８ａにアダプター３２を外嵌着することもできる。アダプター３２は、上部が開口した有底のゴム製部材であって、上端の上部円筒部３２ａ及びそれよりも大径の下部円筒部３２ｂを有し、前記両円筒部に挟まれた部分が、下方に向け徐々に拡開する形状である。下部円筒部３２ｂの下端は封止され、その下端面には、下面に凹凸を有する断面略円形の当接部３２ｃが接着されている。当接部３２ｃの下面の凹凸は、大きな摩擦力を生じる形状であれば、相互に平行な多数の溝を設けた図示形状に限られず、例えばローレット加工された形状であっても良い。上部円筒部３２ａの内径は脚主部２８ａの外径と略等しくされていて、それにより、アダプター３２は脚主部２８ａに外嵌着可能でかつ容易に脱落しない。アダプター３２を外嵌着すると、塗料缶保持具は、摩擦力により、屋根の斜面５１上に安定に載置される。斜面に接触する当接部３２ｃがゴム製であるから、当該斜面を傷付ける虞も低減される。
【００４２】
塗料缶保持具は、主把手５及び副把手６，６を有する。主把手５は、塗料缶保持具を運搬するための把手であって、横枠１２と縦枠１３を連結する軸に両端を回動自在に軸支され、中間部が湾曲した形状である。軽量化のため、好ましくは丸パイプを材料として作製されるが、その材料は特に限定されない。
【００４３】
副把手６，６は、その両端を縦フレーム１１，１１に溶接され、収容部１の相互対向する２側面の上端に設けられている。その中間部は、外側方に突出する向きに湾曲されている。副把手６，６も、軽量化のため好ましくは丸パイプを材料として作製されるが、その材料は特に限定されない。副把手６，６は、収容された塗料缶５０中の塗料の残量が少なくなった際に、塗料缶保持具を僅かに傾けるために用いられ、塗料を無駄なく使用することを可能とする。また、塗料缶保持具の屋根からの落下を防ぐために、当該保持具を支承するためにも用いられる。これらの機能を有効に発揮するためには、副把手６，６は棟側及び軒側の側面に設けられることが好ましく、したがって、蝶番４を設けた側の側面及びそれと対向する側面に設けられることが好ましい。
【符号の説明】
【００４４】
１  収容部
２  台座部
３  角度調節部
４  蝶番
５  主把手
６  副把手
１０  下部フレーム
１０ａ  外縁部
１１  縦フレーム
１２  横枠
１３  縦枠
１４  側方フレーム
１５  主横架フレーム
１５ａ  第１副横架フレーム
１５ｂ  第２副横架フレーム
１６  角度調節板
１６ａ  係合孔
１７  支持部材
１７ａ  係止板
１８  係合部材
１８ａ  棒状係合部
１８ｂ  第１係止部
１８ｃ  第２係止部
１８ｄ  ハンドル
１９  アーム
１９ａ  ペダル
１９ｂ  回動軸
１９ｃ  環状部
２０  ガイド部材
２１  ばね
２２  ストッパー
２３  角度規制棒材
２３ａ  切り欠き
２３ｂ  回動軸
２４  板状材
２５  支持板
２５ａ  摺動孔
２５ｂ  支持脚
２６  突片
２７  角度規制片
２７ａ  環状部
２８  脚部
２８ａ  脚主部
２８ｂ  螺着片
２８ｃ  螺子孔
２８ｄ  ボルト
２９  枠体
２９ａ  螺子部
２９ｂ  ナット
２９ｃ  垂下部
３０  車輪
３１  制動板
３２  アダプター
３２ａ  上部円筒部
３２ｂ  下部円筒部
３２ｃ  当接部
５０  塗料缶
５１  屋根の斜面
【図１】
0003171374.tif 000003
【図２】
0003171374.tif 000004
【図３】
0003171374.tif 000005
【図４】
0003171374.tif 000006
【図５】
0003171374.tif 000007